(57)【要約】      （修正有）【課題】ネットワーク機能付きのファクシミリ装置を備え、電話番号のみの入力で任意の相手先に画送信でき、加えて、ネットワーク画像通信機能とアナログファクシミリ通信機能との両機能を余すところなく発揮できる通信端末装置を提供する。【解決手段】ネットワーク機能付きのファクシミリ装置１２０と、該ファクシミリ装置とアナログポートＡＰを介して接続されたＳＩＰアダプタ装置１１０とを有する。特に、前記ＳＩＰアダプタ装置は、前記アナログポートを介して受けた前記ファクシミリ装置からのアナログファクシミリ信号を、前記第１のＩＰ電話番号を用いて前記ファクシミリ装置によりＰｅｅｒ  ｔｏ  Ｐｅｅｒ通信を実行する一方、前記第２のＩＰ電話番号を用い前記音声ＣＯＤＥＣを介して前記ファクシミリ装置によりみなし音声通信を実行するＣＰＵ１４０とを有する。【選択図】図１
2008079173.tif 000002
【特許請求の範囲】
【請求項１】
ネットワーク機能付きのファクシミリ装置と、該ファクシミリ装置とアナログポートを介して接続されたＳＩＰアダプタ装置とを有する通信端末装置であって、
前記ＳＩＰアダプタ装置は、
前記アナログポートを介して受けた前記ファクシミリ装置からのアナログファクシミリ信号をパケット信号に変換する音声ＣＯＤＥＣと、
Ｐｅｅｒ  ｔｏ  Ｐｅｅｒ通信用の第１のＩＰ電話番号とみなし音声通信用の第２のＩＰ電話番号とをあらかじめ登録したメモリと、
前記ファクシミリ装置での選択結果に応じて、前記第１のＩＰ電話番号を用いて前記ファクシミリ装置によりＰｅｅｒ  ｔｏ  Ｐｅｅｒ通信を実行する一方、前記第２のＩＰ電話番号を用い前記音声ＣＯＤＥＣを介して前記ファクシミリ装置によりみなし音声通信を実行する制御手段と、
を有することを特徴とする通信端末装置。
【請求項２】
当該通信端末装置は、ＳＩＰサーバと接続されたネットワークを通して相手側通信端末装置と接続されるものであって、前記ＳＩＰアダプタ装置は更に、当該ＳＩＰアダプタ装置を前記ネットワークに接続させるためのネットワークインタフェース部を有し、
前記制御手段は、前記ファクシミリ装置で前記Ｐｅｅｒ  ｔｏ  Ｐｅｅｒ通信が選択されると、ＳＩＰを用いて当該通信端末装置、前記相手側通信端末装置のＩＰアドレスが特定された後に、ＳＭＴＰによるダイレクトＳＭＴＰ通信を前記Ｐｅｅｒ  ｔｏ  Ｐｅｅｒ通信として実行する一方、前記ファクシミリ装置で前記みなし音声通信が選択されると、ＳＩＰを用いて当該通信端末装置、前記相手側通信端末装置のＩＰアドレスが特定された後に、前記アナログファクシミリ信号をパケットに変換して前記みなし音声通信を実行することを特徴とする請求項１に記載の通信端末装置。
【請求項３】
前記制御手段は、ＳＩＰを用いたＩＰネットワーク通信を制御するためのＳＩＰ通信制御部と、前記Ｐｅｅｒ  ｔｏ  Ｐｅｅｒ通信を前記ＳＩＰ通信制御部で遂行するための第１通信制御部と、前記Ｐｅｅｒ  ｔｏ  Ｐｅｅｒ通信に際し前記ファクシミリ装置との通信を行うための装置通信制御部と、前記みなし音声通信を前記ＳＩＰ通信制御部で遂行するための第２通信制御部とを有することを特徴とする請求項２に記載の通信端末装置。
【請求項４】
ネットワーク機能付きのファクシミリ装置がこれとアナログポートを介して接続されたＳＩＰアダプタ装置の制御下で通信を行うファクシミリ通信方法であって、
前記ＳＩＰアダプタ装置には、前記ファクシミリ装置によるＰｅｅｒ  ｔｏ  Ｐｅｅｒ通信用と、みなし音声通信用にそれぞれ使用するための第１、第２の自局ＩＰ電話番号を保有させておき、
前記ＳＩＰアダプタ装置は、前記ファクシミリ装置での選択結果に応じて、前記第１のＩＰ電話番号を用いて前記ファクシミリ装置によりＰｅｅｒ  ｔｏ  Ｐｅｅｒ通信を実行する一方、前記第２のＩＰ電話番号を用い前記アナログポートを介して受けた前記ファクシミリ装置からのアナログファクシミリ信号をパケットに変換して前記ファクシミリ装置によりみなし音声通信を実行することを特徴とするファクシミリ通信方法。
【請求項５】
前記ＳＩＰアダプタ装置は、前記ファクシミリ装置で前記Ｐｅｅｒ  ｔｏ  Ｐｅｅｒ通信が選択されると、ＳＩＰに基づいて自局、相手局のＩＰアドレスが特定された後に、ＳＭＴＰによるダイレクトＳＭＴＰ通信を前記Ｐｅｅｒ  ｔｏ  Ｐｅｅｒ通信として実行する一方、前記ファクシミリ装置で前記みなし音声通信が選択されると、ＳＩＰに基づいて自局、相手局のＩＰアドレスが特定された後に、前記アナログファクシミリ信号をパケットに変換して前記みなし音声通信を実行することを特徴とする請求項４に記載のファクシミリ通信方法。
【請求項６】
送信側のファクシミリ装置及びＳＩＰアダプタ装置が、ＳＩＰサーバと接続されたネットワークを通して受信側のファクシミリ装置及びＳＩＰアダプタ装置と接続され、
前記ダイレクトＳＭＴＰ通信は、
前記送信側のファクシミリ装置において相手先ＩＰ電話番号の入力を含むダイレクトＳＭＴＰ通信方式の選択操作が行われてファクシミリ送信が開始されると、前記送信側のＳＩＰアダプタ装置が、前記送信側のファクシミリ装置から前記ネットワークを通じて送信要求と相手局のＩＰ電話番号を受け取るステップと、
前記送信要求を受けると、前記送信側のＳＩＰアダプタ装置が、前記第１のＩＰ電話番号を選択して前記ＳＩＰサーバへ接続要求を行うステップと、
前記ＳＩＰサーバが、前記送信側のＳＩＰアダプタ装置からの接続要求を受け付け、呼び出しを受けているＩＰ電話番号を抽出し、抽出したＩＰ電話番号に該当する前記受信側のＳＩＰアダプタ装置へ接続要求を行うステップと、
前記受信側のＳＩＰアダプタ装置が、前記ＳＩＰサーバからの接続要求を受け付け、呼び出されているＩＰ電話番号を抽出してあらかじめ登録されているＩＰ電話番号との照合を行い、照合の結果、呼び出されているＩＰ電話番号が、前記あらかじめ登録されているＩＰ電話番号であることを確認すると、前記ＳＩＰサーバへ応答を示す信号を返すステップとを含み、
前記送信側のＳＩＰアダプタ装置、前記受信側のＳＩＰアダプタ装置がお互いの通信相手を認識するとネットワークでの通信セッションが確立し、前記送信側のＳＩＰアダプタ装置と前記受信側のＳＩＰアダプタ装置相互のダイレクトＳＭＴＰ通信が行われることを特徴とする請求項５に記載のファクシミリ通信方法。
【請求項７】
前記みなし音声通信は、
前記送信側のファクシミリ装置において相手先ＩＰ電話番号の入力を含むみなし音声通信方式の選択操作が行われてファクシミリ送信が開始されると、前記送信側のＳＩＰアダプタ装置が、前記アナログポートを通じて送信要求と相手局のＩＰ電話番号受け取るステップと、
前記送信要求を受けると、前記送信側のＳＩＰアダプタ装置が、前記第２のＩＰ電話番号を選択して前記ＳＩＰサーバへ接続要求を行うステップと、
前記ＳＩＰサーバが、前記送信側のＳＩＰアダプタ装置からの接続要求を受け付け、呼び出しを受けているＩＰ電話番号を抽出し、抽出したＩＰ電話番号に該当する前記受信側のＳＩＰアダプタ装置へ接続要求を行うステップと、
前記受信側のＳＩＰアダプタ装置が、前記ＳＩＰサーバからの接続要求を受け付け、呼び出されているＩＰ電話番号を抽出してあらかじめ登録されているＩＰ電話番号との照合を行い、照合の結果、呼び出されているＩＰ電話番号が、前記あらかじめ登録されているＩＰ電話番号であることを確認すると、前記ＳＩＰサーバへ応答を示すステップとを含み、
前記送信側のＳＩＰアダプタ装置、前記受信側のＳＩＰアダプタ装置がお互いの通信相手を認識するとネットワークでの通信セッションが確立し、前記送信側のＳＩＰアダプタ装置と前記受信側のＳＩＰアダプタ装置相互のみなし音声通信が行われることを特徴とする請求項６に記載のファクシミリ通信方法。
【請求項８】
Ｐｅｅｒ  ｔｏ  Ｐｅｅｒ通信機能と見なし音声通信機能とを持つネットワーク機能付きのファクシミリ装置とアナログポートを介して接続されたＳＩＰアダプタ装置におけるＣＰＵにファクシミリ通信制御を実行させるためのプログラムであって、
前記ＳＩＰアダプタ装置にはあらかじめＰｅｅｒ  ｔｏ  Ｐｅｅｒ通信用の第１のＩＰ電話番号とみなし音声通信用の第２のＩＰ電話番号とが登録されており、
該プログラムは、
前記ファクシミリ装置で前記Ｐｅｅｒ  ｔｏ  Ｐｅｅｒ通信が選択されると、前記第１のＩＰ電話番号を用い、ＳＩＰに基づいて自局、相手局のＩＰアドレスが特定された後に、ＳＭＴＰによるダイレクトＳＭＴＰ通信を前記Ｐｅｅｒ  ｔｏ  Ｐｅｅｒ通信として実行させる第１の通信制御と、
前記ファクシミリ装置で前記みなし音声通信が選択されると、前記第２のＩＰ電話番号を用い、ＳＩＰに基づいて自局、相手局のＩＰアドレスが特定された後に、前記アナログファクシミリ信号をパケットに変換して前記みなし音声通信を実行させる第２の通信制御と、
を実行させるものであることを特徴とするプログラム。
【発明の詳細な説明】
【技術分野】
【０００１】
本発明はＳＩＰ（Ｓｅｓｓｉｏｎ  Ｉｎｉｔｉａｔｉｏｎ  Ｐｒｏｔｏｃｏｌ）に基づき、ＳＩＰサーバとの連携によりセッションを確立させ、ＩＰネットワークを介したファクシミリ通信を可能とするＳＩＰアダプタ装置を備えた通信端末装置及びファクシミリ通信方法に関する。
【背景技術】
【０００２】
通信端末装置用のアダプタ装置に関連する技術として、特許文献１には、ＩＰ電話機用の通信アダプタ装置が提案されている。この通信アダプタ装置は、ＩＰ電話機への所定の操作でインターネット網経由あるいは一般加入者網経由で接続することを選択できるようにし、しかも相手先の通信機器と接続した後に現在利用している回線網の種類を発呼先の利用者に確認させることを可能にしている。このために、通信アダプタ装置は、外部の通信機器によって入力された電話番号を示す情報に基づいて相手先の通信機器と通信するための回線網を選択する回線網選択手段と、選択された回線網経由で電話番号に基づいて相手先の通信機器と接続し通信を制御する通信制御手段に加えて、アナログの音声信号をディジタルの信号にＡ／Ｄ変換したり、ディジタルの入力信号をアナログの信号にＤ／Ａ変換したりするコーデック手段を備える。
【０００３】
また、特許文献２には、ファクシミリ端末用の通信アダプタ装置として、フレームリレー網と複数のファクシミリ端末とを接続するのに適した通信アダプタ装置が提案されている。通信アダプタ装置は、収容端末を管理するための管理情報を格納する収容端末情報テーブルと、フレームリレー網を介して接続された相手端末の情報を格納する相手先識別テーブルとが格納されたＲＡＭを備える。
【０００４】
更に、特許文献３には、１台の携帯電話機に２つの異なる電話番号を持たせてそれぞれの電話番号を別の用途に切り替え使用できるようにし、しかも切り替えられた電話番号での通話に制限を加えるようにした携帯電話機が提案されている。携帯電話機は、２つの電話番号と、２つの電話番号での発呼や着信が許される使用可能領域、使用日時、相手先電話番号等の各種データとを対応させて登録する手段と、選択された電話番号で発呼や着信が行われる際にその電話番号に対応するデータ条件であるか否かを判断する手段とを備える。
【０００５】
ところで、ファクシミリ装置としてネットワーク機能付きファクシミリ装置が提供されているが、これまでのネットワーク機能付きファクシミリ装置は、以下のような送受信方法を採用している。ネットワーク上でファクシミリ送受信を行う際、送信側ファクシミリ装置では受信側ファクシミリ装置のメールアドレスを入力し、インターネットＦＡＸを使用してメールサーバに送信する。受信側ファクシミリ装置ではメールサーバからＰＯＰ３又はＩＭＡＰで受信を行う。
【０００６】
また、上記の送受信方法とは別に、送信側ファクシミリ装置で受信側ファクシミリ装置のＩＰアドレス又はホスト名を入力すると、ダイレクトＳＭＴＰ（Ｓｉｍｐｌｅ  Ｍａｉｌ  Ｔｒａｎｓｆｅｒ  Ｐｒｏｔｏｃｏｌ）で送受信が行われる方法も提案されている。ダイレクトＳＭＴＰというのは、受信側ファクシミリ装置がＳＭＴＰサーバ機能を有し、メールサーバを介さずにＳＭＴＰで送受信可能な通信方法である。
【０００７】
【特許文献１】特開２００４−３２２８８号公報
【特許文献２】特開平７−２４５６９２号公報
【特許文献３】特開平８−１６７９３６号公報
【発明の開示】
【発明が解決しようとする課題】
【０００８】
しかしながら、上述の方法では、一般的に広く知られている電話番号とは別の識別コード（例えば、メールアドレス、ＩＰアドレス、ホスト名等）を使用するため、これらの識別コードの記憶又は管理が必要となり、利用者にとっては煩わしく、不便なものとなっている。
【０００９】
このため、ネットワーク上に存在するＳＩＰサーバ等にアクセスし、電話番号とＩＰアドレスとの変換を実施させることによって、電話番号のみの入力で任意の相手先に画送信できるようにすることが望まれている。加えて、ネットワーク機能付きファクシミリ装置は、ネットワーク画像通信機能とアナログファクシミリ通信機能とを有しているところ、これらの機能を余すところなく発揮できるようにすることも望まれている。
【００１０】
本発明は、上記のような要求を満足することのできる、ネットワーク機能付きファクシミリ装置に適したＳＩＰアダプタ装置を備えた通信端末装置を提供しようとするものである。
【００１１】
本発明はまた、上記の通信端末装置を用いたファクシミリ通信方法を提供しようとするものである。
【課題を解決するための手段】
【００１２】
本発明による通信端末装置は、ネットワーク機能付きのファクシミリ装置と、このファクシミリ装置とアナログポートを介して接続されたＳＩＰアダプタ装置とを有し、ネットワーク機能付きファクシミリ装置が備えるアナログファクシミリ通信機能の資源を活用することで、同一のＳＩＰアダプタ装置内で、
ａ．ＳＩＰに基づいて送信側、受信側のＩＰアドレスが特定された後にＳＭＴＰといった所定のフォーマットによるＰｅｅｒ  ｔｏ  Ｐｅｅｒ通信を行うダイレクトＳＭＴＰ通信機能と、
ｂ．ＳＩＰに基づいて送信側、受信側のＩＰアドレスが特定された後に、アナログファクシミリ信号をパケットに変換して通信を行う、みなし音声通信機能と、を実現する。
【００１３】
これにより、ネットワーク機能付きファクシミリ装置が備える通信機能を余すことなく活用し、同じ機能を備える受信側装置に加え、例えば汎用のアナログファクシミリ通信手段を備える一般の受信側装置を対象とする画像通信を提供できる。
【００１４】
つまり、本発明は、ネットワーク機能付きのファクシミリ装置と、該ファクシミリ装置とアナログポートを介して接続されたＳＩＰアダプタ装置とを有する通信端末装置であり、前記ＳＩＰアダプタ装置は、前記アナログポートを介して受けた前記ファクシミリ装置からのアナログファクシミリ信号をパケット信号に変換する音声ＣＯＤＥＣと、Ｐｅｅｒ  ｔｏ  Ｐｅｅｒ通信用の第１のＩＰ電話番号とみなし音声通信用の第２のＩＰ電話番号とをあらかじめ登録したメモリと、前記ファクシミリ装置での選択結果に応じて、前記第１のＩＰ電話番号を用いて前記ファクシミリ装置によりＰｅｅｒ  ｔｏ  Ｐｅｅｒ通信を実行する一方、前記第２のＩＰ電話番号を用い前記音声ＣＯＤＥＣを介して前記ファクシミリ装置によりみなし音声通信を実行する制御手段とを有することを特徴とする。
【００１５】
また、本発明による通信端末装置は、ＳＩＰサーバと接続されたネットワークを通して相手側通信端末装置と接続されるものであって、前記ＳＩＰアダプタ装置は更に、当該ＳＩＰアダプタ装置を前記ネットワークに接続させるためのネットワークインタフェース部を有する。そして、前記制御手段は、前記ファクシミリ装置で前記Ｐｅｅｒ  ｔｏ  Ｐｅｅｒ通信が選択されると、ＳＩＰを用いて当該通信端末装置、前記相手側通信端末装置のＩＰアドレスが特定された後に、ＳＭＴＰによるダイレクトＳＭＴＰ通信を前記Ｐｅｅｒ  ｔｏ  Ｐｅｅｒ通信として実行する一方、前記ファクシミリ装置で前記みなし音声通信が選択されると、ＳＩＰを用いて当該通信端末装置、前記相手側通信端末装置のＩＰアドレスが特定された後に、前記アナログファクシミリ信号をパケットに変換して前記みなし音声通信を実行する。
【００１６】
更に、本発明による通信端末装置においては、前記制御手段が、ＳＩＰを用いたＩＰネットワーク通信を制御するためのＳＩＰ通信制御部と、前記Ｐｅｅｒ  ｔｏ  Ｐｅｅｒ通信を前記ＳＩＰ通信制御部で遂行するための第１通信制御部と、前記Ｐｅｅｒ  ｔｏ  Ｐｅｅｒ通信に際し前記ファクシミリ装置との通信を行うための装置通信制御部と、前記みなし音声通信を前記ＳＩＰ通信制御部で遂行するための第２通信制御部とを有することを特徴とする。
【００１７】
これにより、１台のネットワーク機能付きファクシミリ装置で２つの通信方式のいずれかを利用者が選択し受信側との通信を行うことが可能となる。
【００１８】
本発明によればまた、ネットワーク機能付きのファクシミリ装置がこれとアナログポートを介して接続されたＳＩＰアダプタ装置の制御下で通信を行うファクシミリ通信方法が提供される。
【００１９】
本ファクシミリ通信方法においては、前記ＳＩＰアダプタ装置に、前記ファクシミリ装置によるＰｅｅｒ  ｔｏ  Ｐｅｅｒ通信用と、みなし音声通信用にそれぞれ使用するための第１、第２の自局ＩＰ電話番号を保有させておく。前記ＳＩＰアダプタ装置は、前記ファクシミリ装置での選択結果に応じて、前記第１のＩＰ電話番号を用いて前記ファクシミリ装置によりＰｅｅｒ  ｔｏ  Ｐｅｅｒ通信を実行する一方、前記第２のＩＰ電話番号を用い前記アナログポートを介して受けた前記ファクシミリ装置からのアナログファクシミリ信号をパケットに変換して前記ファクシミリ装置によりみなし音声通信を実行する。
【００２０】
特に、本ファクシミリ通信方法においては、前記ＳＩＰアダプタ装置は、前記ファクシミリ装置で前記Ｐｅｅｒ  ｔｏ  Ｐｅｅｒ通信が選択されると、ＳＩＰに基づいて自局、相手局のＩＰアドレスが特定された後に、ＳＭＴＰによるダイレクトＳＭＴＰ通信を前記Ｐｅｅｒ  ｔｏ  Ｐｅｅｒ通信として実行する一方、前記ファクシミリ装置で前記みなし音声通信が選択されると、ＳＩＰに基づいて自局、相手局のＩＰアドレスが特定された後に、前記アナログファクシミリ信号をパケットに変換して前記みなし音声通信を実行する。
【００２１】
本ファクシミリ通信方法においては、送信側のファクシミリ装置及びＳＩＰアダプタ装置が、ＳＩＰサーバと接続されたネットワークを通して受信側のファクシミリ装置及びＳＩＰアダプタ装置と接続される。この場合、前記ダイレクトＳＭＴＰ通信は、前記送信側のファクシミリ装置において相手先ＩＰ電話番号の入力を含むダイレクトＳＭＴＰ通信方式の選択操作が行われてファクシミリ送信が開始されると、前記送信側のＳＩＰアダプタ装置が、前記送信側のファクシミリ装置から前記ネットワークを通じて送信要求と相手局のＩＰ電話番号を受け取るステップと、前記送信要求を受けると、前記送信側のＳＩＰアダプタ装置が、前記第１のＩＰ電話番号を選択して前記ＳＩＰサーバへ接続要求を行うステップと、前記ＳＩＰサーバが、前記送信側のＳＩＰアダプタ装置からの接続要求を受け付け、呼び出しを受けているＩＰ電話番号を抽出し、抽出したＩＰ電話番号に該当する前記受信側のＳＩＰアダプタ装置へ接続要求を行うステップと、前記受信側のＳＩＰアダプタ装置が、前記ＳＩＰサーバからの接続要求を受け付け、呼び出されているＩＰ電話番号を抽出してあらかじめ登録されているＩＰ電話番号との照合を行い、照合の結果、呼び出されているＩＰ電話番号が、前記あらかじめ登録されているＩＰ電話番号であることを確認すると、前記ＳＩＰサーバへ応答を示す信号を返すステップとを含む。これにより、前記送信側のＳＩＰアダプタ装置、前記受信側のＳＩＰアダプタ装置がお互いの通信相手を認識するとネットワークでの通信セッションが確立し、前記送信側のＳＩＰアダプタ装置と前記受信側のＳＩＰアダプタ装置相互のダイレクトＳＭＴＰ通信が行われる。
【００２２】
一方、本発明によるファクシミリ通信方法における前記みなし音声通信は、前記送信側のファクシミリ装置において相手先ＩＰ電話番号の入力を含むみなし音声通信方式の選択操作が行われてファクシミリ送信が開始されると、前記送信側のＳＩＰアダプタ装置が、前記アナログポートを通じて送信要求と相手局のＩＰ電話番号受け取るステップと、前記送信要求を受けると、前記送信側のＳＩＰアダプタ装置が、前記第２のＩＰ電話番号を選択して前記ＳＩＰサーバへ接続要求を行うステップと、前記ＳＩＰサーバが、前記送信側のＳＩＰアダプタ装置からの接続要求を受け付け、呼び出しを受けているＩＰ電話番号を抽出し、抽出したＩＰ電話番号に該当する前記受信側のＳＩＰアダプタ装置へ接続要求を行うステップと、前記受信側のＳＩＰアダプタ装置が、前記ＳＩＰサーバからの接続要求を受け付け、呼び出されているＩＰ電話番号を抽出してあらかじめ登録されているＩＰ電話番号との照合を行い、照合の結果、呼び出されているＩＰ電話番号が、前記あらかじめ登録されているＩＰ電話番号であることを確認すると、前記ＳＩＰサーバへ応答を示すステップとを含む。これにより、前記送信側のＳＩＰアダプタ装置、前記受信側のＳＩＰアダプタ装置がお互いの通信相手を認識するとネットワークでの通信セッションが確立し、前記送信側のＳＩＰアダプタ装置と前記受信側のＳＩＰアダプタ装置相互のみなし音声通信が行われる。
【００２３】
本発明によれば更に、Ｐｅｅｒ  ｔｏ  Ｐｅｅｒ通信機能と見なし音声通信機能とを持つネットワーク機能付きのファクシミリ装置とアナログポートを介して接続されたＳＩＰアダプタ装置におけるＣＰＵにファクシミリ通信制御を実行させるためのプログラムが提供される。なお、前記ＳＩＰアダプタ装置にはあらかじめＰｅｅｒ  ｔｏ  Ｐｅｅｒ通信用の第１のＩＰ電話番号とみなし音声通信用の第２のＩＰ電話番号とが登録されている。この場合、該プログラムは、前記ファクシミリ装置で前記Ｐｅｅｒ  ｔｏ  Ｐｅｅｒ通信が選択されると、前記第１のＩＰ電話番号を用い、ＳＩＰに基づいて自局、相手局のＩＰアドレスが特定された後に、ＳＭＴＰによるダイレクトＳＭＴＰ通信を前記Ｐｅｅｒ  ｔｏ  Ｐｅｅｒ通信として実行させる第１の通信制御と、前記ファクシミリ装置で前記みなし音声通信が選択されると、前記第２のＩＰ電話番号を用い、ＳＩＰに基づいて自局、相手局のＩＰアドレスが特定された後に、前記アナログファクシミリ信号をパケットに変換して前記みなし音声通信を実行させる第２の通信制御とを実行させるものである。
【発明の効果】
【００２４】
本発明による通信端末装置においては、ＳＩＰアダプタ装置が、共通のＳＩＰ通信制御部を用いてネットワーク機能付きのファクシミリ装置に対してＰｅｅｒ  ｔｏ  Ｐｅｅｒ通信とみなし音声通信による２つの通信機能を実行させ、各々の通信方式を２つのあらかじめ登録された２つの自局ＩＰ電話番号を用いて使い分けることで、共通のＳＩＰアダプタ装置に２つの通信機能を実現させることができ、ネットワーク機能付きファクシミリ装置が備える通信機能を余すことなくＩＰネットワークに収容させると共に、同じ機能を備える特定の相手局だけでなく、汎用のファクシミリ通信手段を持つ一般の相手局を対象とする画像通信を提供できるという効果がある。
【発明を実施するための最良の形態】
【００２５】
本発明による通信端末装置の要部であるＳＩＰアダプタ装置の特徴について要約すると以下の通りである。
【００２６】
本発明の要部は、ネットワーク機能付きファクシミリ装置を用いた画像通信に際し、ＳＩＰを用いたＩＰネットワーク（ＩＰ電話網）における画像通信を提供するためのＳＩＰアダプタ装置にあり、２つの自局ＩＰ電話番号を登録したメモリを備える。ＳＩＰアダプタ装置はまた、共通のＳＩＰ通信制御部を用いて、以下の２つの通信機能を実現する。
【００２７】
ａ．ＳＩＰを用いて自局、相手局の両局のＩＰアドレスを特定した後に、ＳＭＴＰといった所定のフォーマットによるＰｅｅｒ  ｔｏ  Ｐｅｅｒ通信を行うダイレクトＳＭＴＰ通信機能。
【００２８】
ｂ．ＳＩＰを用いて自局、相手局の両局のＩＰアドレスを特定した後に、アナログファクシミリ信号をパケットに変換し通信を行うみなし音声通信機能。
【００２９】
このような２つの通信機能を１つのＳＩＰアダプタ装置で実現できるようにしたことにより、ＳＩＰアダプタ装置と対をなすように接続したネットワーク機能付きファクシミリ装置が保有するネットワーク画像通信機能とアナログファクシミリ通信機能とを１つのＳＩＰアダプタ装置で余すことなくＩＰネットワークに収容できる。
【００３０】
上記の機能を実現する本発明によるＳＩＰアダプタ装置の構成例と、ローカルエリアネットワーク（ＬＡＮ）上の配置例を図１に示す。
【００３１】
図１は、通信端末装置となる自局１００が、対をなすＳＩＰアダプタ装置１１０とネットワーク機能付きファクシミリ装置１２０とで構成され、相手局２００も対をなすＳＩＰアダプタ装置２１０とネットワーク機能付きファクシミリ装置２２０とで構成される例を示している。以下では、ネットワーク機能付きファクシミリ装置１１０、２２０をそれぞれファクシミリ装置１１０、２２０と略称する。
【００３２】
ＳＩＰアダプタ装置１１０は、ネットワークインタフェース部１３０、ＣＰＵ１４０、メモリ１５０、アナログ回路１６０から成る。
【００３３】
ネットワークインタフェース部１３０は、ＳＩＰアダプタ装置１１０をローカルエリアネットワークに接続させるもので、ローカルエリアネットワークに接続されたＳＩＰサーバ３００や相手局２００のファクシリ装置２２０、及びＳＩＰアダプタ装置２１０と対になるファクシリ装置１２０とＳＩＰアダプタ装置１１０との間で網制御やデータ通信を物理的に行うためのものである。
【００３４】
ＣＰＵ１４０は中央演算処理装置で構成され、ＳＩＰアダプタ装置１１０の統括制御を行うと共に、ネットワークインタフェース部１３０を介して通信を行うための各種制御を担う。ＣＰＵ１４０は、ＳＩＰを用いたＩＰネットワーク通信を制御するためのＳＩＰ通信制御部１４３を有する。ＣＰＵ１４０はまた、前述したダイレクトＳＭＴＰ通信機能をＳＩＰ通信制御部１４３で遂行するための第１通信制御部１４１と、ダイレクトＳＭＴＰ通信に際し対となるファクシミリ装置１２０との通信を行うための装置通信制御部１４４と、前述したみなし音声通信機能をＳＩＰ通信制御部１４３で遂行するための第２通信制御部１４２とを本発明の要部として備える。
【００３５】
メモリ１５０はＣＰＵ１４０の演算結果や各種登録情報を格納するための記憶デバイスである。メモリ１５０は、前述したダイレクトＳＭＴＰ通信に際して自局番号に使用するための第１のＩＰ電話番号があらかじめ登録された格納領域１５１と、みなし音声通信に際して自局番号に使用するための第２のＩＰ電話番号があらかじめ登録された格納領域１５２を本発明の要部として有する。これらの第１、第２のＩＰ電話番号はＳＩＰサーバ３００から提供される。
【００３６】
アナログ回路１６０はファクシミリ装置１２０のアナログファクシミリ機能を収容するものである。アナログ回路１６０は、ファクシミリ装置１２０と接続するためのアナログポートＡＰへの直流給電や回線の閉結／開放状態の監視、ファクシミリ装置１２０を呼び出すための呼出信号を生成するための回線制御部１６１と、利用者の選択に基づいてファクシミリ装置１２０から送出された選択信号から相手局のＩＰ電話番号を抽出するための選択信号抽出部１６２と、ファクシミリ装置１２０のアナログ信号をパケットに変換するための音声ＣＯＤＥＣ１６３とを有する。
【００３７】
なお、ファクシミリ装置１２０には、これと同じ機能を持つネットワーク機能付きのファクシミリ装置だけでなく、汎用のアナログファクシミリ通信機能を持つ装置の番号も登録されている。このため、ファクシミリ装置１２０では、ファクシミリ送信に際し、ダイレクトＳＭＴＰ通信、みなし音声通信のいずれで行うかを選択するが、上記番号と通信種別とを抱き合わせで登録しておくことでワンタッチ操作とすることも可能である。
【００３８】
相手局２００も、前述した自局のＳＩＰアダプタ装置１１０、ファクシミリ装置１２０と同様のＳＩＰアダプタ装置２１０、ファクシミリ装置２２０を備えるものとする。
【００３９】
次に、本発明によるＳＩＰアダプタ装置を用いた各種通信制御動作の実施例について図２及び図３を用いて説明する。
【００４０】
図２は、本発明によるＳＩＰアダプタ装置により、ＳＩＰを用いて自局、相手局の両局のＩＰアドレスを特定した後、ＳＭＴＰといった所定のフォーマットによるＰｅｅｒ  ｔｏ  Ｐｅｅｒ通信を行うダイレクトＳＭＴＰ通信のための制御手順を示している。図２では、送信側のＳＩＰアダプタ装置１１０及びファクシミリ装置１２０をそれぞれ、送信側アダプタ、送信側ＦＡＸとして示し、受信側のＳＩＰアダプタ装置２１０及びファクシミリ装置２２０をそれぞれ、受信側アダプタ、受信側ＦＡＸとして示している。つまり、自局が本発明によるＳＩＰアダプタ装置の送信側制御を行い、相手局は本発明によるＳＩＰアダプタ装置の受信側制御を行う。
【００４１】
なお、以下で説明される各種通信制御動作のうち、送信側アダプタあるいは受信側アダプタに付随して示されている制御動作は、プログラム（ソフトウエア）の命令を実行するＣＰＵ１４０によって実現される。プログラムは、メモリ１５０あるいは他の磁気ディスク、光ディスク、半導体メモリ等、ＣＰＵ１４０で読み取り可能な任意の記録媒体に格納されている。あるいはまた、記録媒体を介さずに通信回線を通じてＣＰＵ１４０にロードし実行することもできる。この点は、後で図３を参照して説明される見なし音声通信制御動作でも同じである。
【００４２】
自局、相手局はそれぞれ、図１で説明したようなＳＩＰアダプタ装置１１０、２１０とファクシミリ装置１２０、２２０の対で構成されており、これらの各通信端末装置がＩＰネットワーク（ローカルエリアネットワーク：ＬＡＮ）を介してＳＩＰサーバ３００と共に接続されている。
【００４３】
送信側ＦＡＸ（ファクシミリ装置１２０）において相手先ＩＰ電話番号の入力を含む選択操作が行われてダイレクトＳＭＴＰ通信方式によるファクシミリ送信が開始されると、ネットワークを通じて送信要求と相手局のＩＰ電話番号が送信側アダプタ（ＳＩＰアダプタ装置１１０）へ通知される。送信側アダプタはネットワークを介して送信側ＦＡＸから送信要求を受け付けると、ダイレクトＳＭＴＰ通信方式に該当する第１通信制御部１４１を起動すると共に、自局番号としてメモリ１５０の格納領域１５１に登録されている第１のＩＰ電話番号を選択してＳＩＰサーバ３００へ接続要求を行う。
【００４４】
ＳＩＰサーバ３００はあらかじめ登録されている第１のＩＰ電話番号に基づく送信側アダプタからの接続要求を受け付けると、呼び出しを受けているＩＰ電話番号を抽出し、抽出したＩＰ電話番号に該当する受信側アダプタ（ＳＩＰアダプタ装置２１０）へ接続要求を行う。
【００４５】
受信側アダプタはＳＩＰサーバ３００からの接続要求を受け付けると、呼び出されているＩＰ電話番号を抽出し、メモリ（図１のメモリ１５０に対応）にあらかじめ登録されているＩＰ電話番号との照合を行う。照合の結果、呼び出されているＩＰ電話番号が、登録されている第１のＩＰ電話番号であることを確認すると、受信側アダプタは第１通信制御部（図１の第１通信制御部１４１に対応）を起動し、ダイレクトＳＭＴＰ通信に備える。その後、ＳＩＰサーバ３００へ応答を示す信号を返し、自局、相手局の両局がお互いの通信相手を認識するとＩＰネットワークでの通信セッションが確立し、送信側アダプタ、受信側アダプタ相互のダイレクトＳＭＴＰ通信が可能となる。
【００４６】
ここで、自局、相手局の両局のＳＩＰアダプタ装置１１０、２１０はダイレクトＳＭＴＰ通信に際し、対となるファクシミリ装置（ファクシミリ装置１２０、２２０）のＩＰアドレスの交換を行い各々のファクシミリ装置１２０、２２０へ通知する。ファクシミリ装置１２０、２２０はお互いのＩＰアドレスを受け取ると、受け取ったＩＰアドレスを利用してＰｅｅｒ  ｔｏ  Ｐｅｅｒ通信を開始し、送信側のファクシミリ装置１２０と受信側のファクシミリ装置２２０との間で直接、画データの伝送を行う。
【００４７】
画データの伝送が終了すると、送信側のファクシミリ装置１２０は送信が終了した旨を送信側のＳＩＰアダプタ装置１１０へ通知し、送信側のＳＩＰアダプタ装置１１０は送信終了の通知を受け付けると受信側のＳＩＰアダプタ装置２１０との通信終了手順に移行する。
【００４８】
図３は、本発明によるＳＩＰアダプタ装置により、ＳＩＰを用いて自局、相手局の両局のＩＰアドレスを特定した後、アナログファクシミリ信号をパケットに変換し通信を行う、みなし音声通信のための制御手順を示している。
【００４９】
図３でも、送信側のＳＩＰアダプタ装置１１０及びファクシミリ装置１２０をそれぞれ、送信側アダプタ、送信側ＦＡＸとして示し、受信側のＳＩＰアダプタ装置２１０及びファクシミリ装置２２０をそれぞれ、受信側アダプタ、受信側ＦＡＸとして示している。つまり、自局が本発明によるＳＩＰアダプタ装置の送信側の制御を行い、相手局は本発明によるＳＩＰアダプタ装置の受信側の制御を行う。
【００５０】
自局と相手局はそれぞれ、ＳＩＰアダプタ装置とファクシミリ装置の対で構成されており、局内のファクシミリ装置とＳＩＰアダプタ装置は専用のアナログポートＡＰ（図１）を介して接続され、各々のＳＩＰアダプタ装置とＳＩＰサーバ３００はネットワークを介して接続されている。
【００５１】
送信側ＦＡＸ（ファクシミリ装置１２０）において相手先ＩＰ電話番号の入力を含む選択操作が行われてみなし音声通信方式によるファクシミリ送信が開始されると、アナログポートＡＰを通じて送信要求と相手局のＩＰ電話番号が送信側アダプタ（ＳＩＰアダプタ装置１１０）へ通知される。送信側アダプタはアナログポートＡＰを介して送信側ＦＡＸから送信要求を受け付けると、みなし音声通信に該当する第２通信制御部１４２を起動すると共に、自局番号としてメモリ１５０の格納領域１５２に登録されている第２のＩＰ電話番号を選択してＳＩＰサーバ３００へ接続要求を行う。
【００５２】
ＳＩＰサーバ３００はあらかじめ登録されている第２のＩＰ電話番号に基づく送信側アダプタからの接続要求を受け付けると、呼び出しを受けているＩＰ電話番号を抽出し、抽出したＩＰ電話番号に該当する受信側アダプタ（ＳＩＰアダプタ装置２１０）へ接続要求を行う。受信側アダプタはＳＩＰサーバ３００からの接続要求を受け付けると、呼び出されているＩＰ電話番号を抽出し、メモリ（図１のメモリ１５０に対応）にあらかじめ登録されているＩＰ電話番号との照合を行う。照合の結果、呼び出されているＩＰ電話番号が、登録されている第２のＩＰ電話番号であることを確認すると、受信側アダプタは第２通信制御部（図１の１４２に対応）を起動し、みなし音声通信に備える。
【００５３】
その後、ＳＩＰサーバ３００へ応答を示す信号が返され、自局、相手局の両局がお互いの通信相手を認識するとＩＰネットワークでの通信セッションが確立し、ＳＩＰアダプタ装置１１０、２１０相互の通信が可能となる。
【００５４】
ここで、みなし音声通信方式による通信に際し、自局のＳＩＰアダプタ装置１１０は、アナログポートＡＰに接続されたファクシミリ装置１２０から送出されるアナログファクシミリ信号をアナログ回路１６０における音声ＣＯＤＥＣ１６３で符号化し、パケットへ変換してネットワーク上の相手側のＳＩＰアダプタ装置２１０へ伝送する。一方、相手局のＳＩＰアダプタ装置２１０は、ＳＩＰアダプタ装置１１０から受け取ったパケットを音声ＣＯＤＥＣ（図１の１６３に対応）で復号化し、アナログファクシミリ信号へ変換してアナログポート（図１のＡＰに対応）に接続されたファクシミリ装置２２０へ伝送する。
【００５５】
アナログファクシミリ通信が終了すると、送信側ＦＡＸはアナログポートＡＰを通じて送信が終了した旨を送信側アダプタへ通知し、送信側アダプタは送信終了を受け付けるとＩＰネットワークを通じた受信側アダプタとの通信終了手順に移行する。
【００５６】
以上のような図２及び図３に基づく各々の制御手順により、ダイレクトＳＭＴＰ通信及びみなし音声通信のための動作が実現される。なお、見なし音声通信の場合、本発明と同じ機能を持つ特定の相手局だけでなく、例えば汎用のアナログファクシミリ通信手段を備える一般の相手局を対象とした画像通信も可能であることは言うまでも無い。
【図面の簡単な説明】
【００５７】
【図１】図１は、本発明による通信端末装置の構成例を示した図である。
【図２】図２は、本発明の通信端末装置によりダイレクトＳＭＴＰ通信を行う場合の制御手順を説明するための図である。
【図３】図３は、本発明の通信端末装置によりみなし音声通信を行う場合の制御手順を説明するための図である。
【符号の説明】
【００５８】
１１０    ＳＩＰアダプタ装置
１２０    ネットワーク機能付きファクシミリ装置
１３０    ネットワークインタフェース部
１４０    ＣＰＵ
１５０    メモリ
１６０    アナログ回路
【図１】
2008079173.tif 000003
【図２】
2008079173.tif 000004
【図３】
2008079173.tif 000005